(57)【特許請求の範囲】
【請求項１】
ベッドフレームに起伏可能に設けられた可動床部を起伏駆動する駆動機構を備えたベッド装置において、
上記駆動機構は、
上記ベッドフレームに回転可能に設けられた回動軸と、
この回動軸に回転可能に外嵌された回転部材と、
この回転部材に一端部が連結された起動腕と、
この起動腕を回動駆動する駆動軸と、
上記回動軸に一端部が固着された軸側リンクと、
この軸側リンクの他端部に一端部が回動可能に連結された中間リンクと、
一端部が上記起動腕の他端部に回動可能に連結され他端部が上記中間リンクの他端部に回動可能に連結された腕側リンクと、
上記腕側リンクあるいは中間リンクの少なくとも一方を所定の回動方向へ付勢したばねと、
上記腕側リンクあるいは中間リンクのどちらか一方に設けられこれらリンクを上記ばねの付勢力に抗して屈曲状態に保持し上記起動腕の回動に上記腕側リンク、中間リンク及び軸側リンクを介して上記回動軸を連動させる保持部と、
上記回動軸に設けられ上記起動腕の回動にこの回動軸が連動することで上記可動床部を起伏回動させる背上げ腕と、
上記腕側リンクの他端部あるいは上記中間リンクの他端部に設けられ上記ばねの付勢力に抗して引くことで屈曲状態にある上記腕側リンクと中間リンクとを前記屈曲状態とは逆方向に屈曲させて起立方向に回動した上記背上げ腕を倒伏可能とする引張り手段と
を具備したことを特徴とするベッド装置。
【発明の詳細な説明】
【０００１】
【発明の属する技術分野】
この発明は床板の一部が起伏駆動される可動床部に形成されたベッド装置に関する。
【０００２】
【従来の技術】
たとえば、自力によって上半身を起すことができないような病人や老人などは、床板の一部が起伏駆動される可動床部に形成されたベッド装置を利用するようにしている。
【０００３】
この種のベッド装置はベッドフレームを有し、このベッドフレームには床板が設けられている。床板の一部は起伏可能な可動床部に形成されている。この可動床部は駆動機構によって起伏駆動されるようになっている。
【０００４】
上記駆動機構は、上記ベッドフレームの上記可動床部の下面側に対応する部分に回転可能に設けられた回動軸を有する。この回動軸には起動腕と背上げ腕との一端が連結されている。
【０００５】
上記起動腕の他端には駆動軸が連結され、この駆動軸は電動式の駆動源によって進退駆動されるようになっている。上記背上げ腕の他端にはローラが回転可能に設けられ、このローラは上記可動床部の下面に当接している。
【０００６】
したがって、上記駆動源によって上記駆動軸が進退駆動されると、上記起動腕によって上記回動軸が回動駆動され、この回動に上記背上げ腕が連動するから、この背上げ腕によって上記可動床部が起伏駆動されるようになっている。
【０００７】
【発明が解決しようとする課題】
このような構成のベッド装置において、可動床部を起立させて利用者の上半身を起した状態で、上記駆動源が故障したり、停電が発生したりすると可動床部を倒伏方向へ駆動させることができなくなるということがある。
【０００８】
利用者によっては長時間にわたって上半身を起した姿勢を維持することが望ましくない場合があり、そのような場合には利用者を他のベッド装置に移動させなければならないということが生じる。
【０００９】
この発明は、可動床部を起立させた状態で故障や停電などが発生しても、起立状態にある可動床部を手動で倒伏させることができるようにしたベッド装置を提供することにある。
【００１０】
【課題を解決するための手段】
請求項１の発明は、ベッドフレームに起伏可能に設けられた可動床部を起伏駆動する駆動機構を備えたベッド装置において、
上記駆動機構は、
上記ベッドフレームに回転可能に設けられた回動軸と、
この回動軸に回転可能に外嵌された回転部材と、
この回転部材に一端部が連結された起動腕と、
この起動腕を回動駆動する駆動軸と、
上記回動軸に一端部が固着された軸側リンクと、
この軸側リンクの他端部に一端部が回動可能に連結された中間リンクと、
一端部が上記起動腕の他端部に回動可能に連結され他端部が上記中間リンクの他端部に回動可能に連結された腕側リンクと、
上記腕側リンクあるいは中間リンクの少なくとも一方を所定の回動方向へ付勢したばねと、
上記腕側リンクあるいは中間リンクのどちらか一方に設けられこれらリンクを上記ばねの付勢力に抗して屈曲状態に保持し上記起動腕の回動に上記腕側リンク、中間リンク及び軸側リンクを介して上記回動軸を連動させる保持部と、
上記回動軸に設けられ上記起動腕の回動にこの回動軸が連動することで上記可動床部を起伏回動させる背上げ腕と、
上記腕側リンクの他端部あるいは上記中間リンクの他端部に設けられ上記ばねの付勢力に抗して引くことで屈曲状態にある上記腕側リンクと中間リンクとを上記屈曲状態とは逆方向に屈曲させて起立方向に回動した上記背上げ腕を倒伏可能とする引張り手段と
を具備したことを特徴とするベッド装置にある。
【００１１】
このような構成によれば、可動床部を起立させた状態で故障などが発生した場合には、引張り手段によって直線状態にある中間リンクと腕側リンクとを屈曲させることで、起立方向に回動した背上げ腕を倒伏方向へ回動させれば、この背上げ腕によって起立状態で保持された可動床部も倒伏方向へ回動させることができる。
【００１２】
【発明の実施の形態】
以下、この発明の第１の実施の形態を図１乃至図７を参照して説明する。
【００１３】
図１と図２はベッド装置に設けられた床板１の可動床部２の部分を示しており、この可動床部２の基端部は上記床板１の固定床部３に連結軸４によって回動可能に連結されている。そして、可動床部２は駆動機構Ｄによって起伏駆動されるようになっている。
【００１４】
上記駆動機構Ｄは回動軸５を有する。この回動軸５は、上記可動床部２の基端部の下面側に軸方向を上記床板１の幅方向に沿わせて配置されている。この回動軸５の両端部には図３に示すように支軸６（一方のみ図示）が設けられ、この支軸６はベッドフレーム７に回転可能に支持されている。
【００１５】
上記回動軸５の両端部にはそれぞれ背上げ腕８の基端部が固着されている。この背上げ腕８の先端部にはローラ９が回転自在に設けられている。このローラ９は上記可動床部２の下面に転接する。したがって、上記背上げ腕８が図２に示すように起立方向に駆動されると、この背上げ腕８の先端部に設けられたローラ９によって上記可動床部２が倒伏状態から起立方向へ駆動されるようになっている。
【００１６】
上記回転軸５の中途部には図３に示すようにリング状をなした一対の回転部材１１が回転可能に外嵌されている。これら一対の回転部材１１には断面形状がＵ字状をなした起動腕１２の一端部の両側端が固着されている。この起動腕１２は図１と図２に示すように側面形状がほぼくの字状に屈曲している。
【００１７】
上記回転軸５の一対の回転部材１１の間の部分には軸側リンク１３の一端部が固着されている。この軸側リンク１３の他端部には一対の中間リンク１４が第１の連結ピン１５によって上記軸側リンク１３の他端部を挟んで回動可能に連結されている。
【００１８】
上記起動腕１２の閉塞された他端部内面には一対の連結片１６が所定間隔で立設されている。この連結片１６には腕側リンク１７の一端部が第２の連結ピン１８によって回動可能に連結されている。この腕側リンク１７の他端部は上記中間リンク１４の他端部に第３の連結ピン１９によって回動可能に連結されている。
【００１９】
上記第２の連結ピン１８の上記連結片１６から突出した両端部には１つのばね２１が装着されている。このばね２１は上記連結ピン１８の両端部に装着される２つのコイル部２１ａが連結部２１ｂによって連結されていて、コイル部２１ａの両端を上記起動腕１２に係合させ、連結部２１ｂを上記腕側リンク１７に係合させている。そして、上記腕側リンク１７を図１及び図４に矢印で示す時計方向に付勢している。
【００２０】
一対の中間リンク１４の他端部の、ばね２１による腕側リンク１７の付勢方向と逆側の側部には保持部２２が設けられている。この保持部２２は一対の中間リンク１４の一側間を閉塞して設けられ、図４に示すようにその内面２２ａが上記腕側リンク１７の他端部の一側に当接するようになっている。
【００２１】
つまり、図４に示すように、中間リンク１４と腕側リンク１７とはばね２１の付勢力によって一直線よりもわずかに屈曲した状態（この状態を角度θとする）で、上記保持部２２の内面に上記腕側リンク１７の他端部一側が当接する。それによって、これらリンク１４，１７は角度θで屈曲した状態で保持されるようになっている。
【００２２】
上記保持部２２は腕側リンク１７のばね２１による付勢方向と逆方向に延出された係止部２３を有し、この係止部２３の端部には引張り紐２４の一端部が連結されている。この引張り紐２４の他端部はベッドフレーム７の外部に導出されている。そして、この引張り紐２４を引くことで、わずかに屈曲した状態にある中間リンク１４と腕側リンク１７とを後述するように屈曲させることができるようになっている。
なお、上記係止部２３と引張り紐２４とで引張り手段を構成している。
【００２３】
さらに、駆動機構Ｄは図１に示すように上記起動腕１２を回動駆動する駆動部２５を備えている。この駆動部２５はモータなどの図示しない駆動源によって軸方向に進退駆動される駆動軸２６を有する。
【００２４】
上記駆動軸２６の先端部はねじ部２７に形成され、このねじ部２７にはナット体２８が螺合されている。このナット体２８は移動部材２９の内部に固定されており、この移動部材２９はガイド部材３１にスライド可能に設けられている。上記駆動軸２６の先端は上記移動部材２９の内部に設けられた軸受３２に回転可能に支持されている。上記移動部材２９の先端面は上記起動腕１２の他端部に形成された円弧面１２ａに当接している。
【００２５】
したがって、上記駆動軸２６が前進方向に駆動され、この駆動軸２６に移動部材２９が連動すると、この移動部材２９によって起動腕１２の他端部が押圧されて図１に矢印で示す方向へ回動する。
【００２６】
起動腕１２が矢印方向へ回動すると、その回動はわずかに屈曲した状態にある腕側リンク１７と中間リンク１４を介して軸側リンク１３に伝達される。この軸側リンク１３は回動軸５に連結されているから、この回動軸５を図１に矢印で示す時計方向へ回動させることになる。
【００２７】
回動軸５が時計方向に回動すれば、この回動に背上げ腕８が連動して起立方向に回動するから、この背上げ腕８の先端部に設けられたローラ９によって可動床部２が起立する。つまり、床板１上に仰臥した利用者の上半身を起すことができるようになっている。
【００２８】
このようにして利用者の上半身を起した状態、つまり図１及び図４に示す状態で駆動部２５の故障や停電などによって駆動軸２６を駆動することができなくなった場合には、引張り紐２４を引く。それによって、まず、中間リンク１４と腕側リンク１７とが図５に示すように直線状になり、腕側リンク１７の他端部の一側が保持部２２の内面から離れる。
【００２９】
さらに、引張り紐２４を引くことで、ばね２１の付勢力に抗して中間リンク１４と腕側リンク１７とが図６に示すようにほぼ９０度になるまで屈曲する。この状態になると、背上げ腕８は倒伏方向へ回動し易い。そのため、可動床部２とベッドフレーム７との間にガススプリング（図示しない）を設けておけば、中間リンク１４と腕側リンク１７とが図６に示すように屈曲しても、屈曲と同時に可動床部２が倒伏方向へ回動するのを確実に防止できる。
【００３０】
引張り紐２４を引く際、可動床部２を起立方向へわずかに回動させ、背上げ腕８、回転軸５及び軸側リンク１３を介して中間リンク１４に加わる可動床部２の荷重を除去すれば、上記引張り紐２４を軽い力で容易に引くことが可能となる。
【００３１】
図６の状態から可動床部２を介して背上げ腕８を倒伏方向へ押圧すると、図７に示すように軸側リンク１３が中間リンク１４に対して屈曲しながら回動軸５と共に回動するから、この回動軸５に連結された背上げ腕８と共に可動床部２が倒伏方向へ回動することになる。したがって、床板１上に仰臥した利用者の上半身を元の状態に倒すことができる。
【００３２】
駆動部２５の故障や停電が解除されたのち、駆動機構Ｄを復帰させる場合には、倒伏状態にある背上げ腕８を可動床部２と共に手動で起立方向へ回動させる。それによって、まず、中間リンク１４が図７の状態から図６に示す状態へ回動する。さらに、背上げ腕８を起立方向へ回動させることで、図５に示すように中間リンク１４と腕側リンク１７とが直線状になり、さらに回動させることで図４に示すように直線状態よりもわずかに屈曲した状態になる。つまり、背上げ腕８が可動床部２を所定の起立角度で保持した状態になる。
【００３３】
この状態から駆動源を作動させて駆動軸２６を所定の位置まで後退させれば、起動腕１７が図１に示す状態に回動し、この回動に背上げ腕８が連動するから、背床部２の倒伏することになる。
【００３４】
すなわち、可動床部２を起立させた状態で駆動部２５の故障や停電などによって駆動軸２６を駆動することができなくなっても、上記可動床部２を手動で倒伏させることができるから、病人や老人などの利用者に苦痛を与えるなどのことを防止できる。
【００３５】
図８はこの発明の第２の実施の形態を示す駆動機構Ｄの変形例である。この実施の形態の駆動機構Ｄは、駆動部２５Ａの駆動軸２６Ａの先端部と、起動腕１２の他端部とを回動可能に連結するようにした。つまり、駆動軸２６の先端部に連結ブロック３１を設け、この連結ブロック３１を、起動腕１２の他端部に腕側リンク１７の一端部を連結した第２の連結ピン１８によって上記起動腕１２に枢着するようにした。
このような構成であっても、上記第１の実施の形態と同様の作用効果を奏することになる。
【００３６】
図９はこの発明の第３の実施の形態を示す駆動機構Ｄの変形例である。この実施の形態は、回動軸５に一端を固着して設けられる背上げ腕８Ａの他端部を、可動床部２の基端部下面に連結固定するようにした。
【００３７】
このような構成であっても、駆動部２５の移動部材２９によって起動腕１２が押圧されて矢印方向へ回動すれば、この回動に回動軸５と上記背上げ腕８Ａが連動するから、可動床部２を起立方向へ回動させることができる。
【００３８】
この発明は上記各実施の形態に限定されず、種々変形可能である。たとえば、ばねによって腕側リンクを所定方向に付勢したが、中間リンクをばねによって所定方向に付勢するようにしてもよい。また、引張り手段の保持部を中間リンクに設けたが、腕側リンクに設けるようにしてもよい。
【００３９】
【発明の効果】
請求項１の発明によれば、可動床部を起立させた状態で駆動機構が故障したり、停電などが発生した場合には、上記可動床部の起立状態での保持を手動で解除して倒伏させることができる。
【００４０】
そのため、背上げ状態を長時間にわたって継続したくない、病人や老人などの利用者に苦痛を与えるのを防止することができる。
【図面の簡単な説明】
【図１】この発明の第１の実施の形態を示す可動床部を倒伏させた状態の側面図。
【図２】同じく可動床部を起立させた状態の側面図。
【図３】同じく回動軸の起動腕が設けられた中央部分と一端部とを示す図。
【図４】同じく可動床部を起立させた状態における各リンクを示す説明図。
【図５】同じく直線状態にある中間リンクと腕側リンクとを屈曲させるために引張り紐を引き始めた状態の説明図。
【図６】同じく中間リンクと腕側リンクとを屈曲させた状態の説明図。
【図７】同じく背上げ腕を倒伏させた状態の説明図。
【図８】この発明の第２の実施の形態を示す駆動機構の側面図。
【図９】この発明の第３の実施の形態を示す駆動機構の側面図。
【符号の説明】
２…可動床部
５…回動軸
７…ベッドフレーム
８…背上げ腕
１１…回転部材
１２…起動腕
１３…軸側リンク
１４…中間リンク
１７…腕側リンク
２１…ばね
２２…保持部
２３…係止部（引張り手段）
２４…引張り紐（引張り手段）
２６…駆動軸
【図１】
0003554507.tif 000002
【図２】
0003554507.tif 000003
【図３】
0003554507.tif 000004
【図４】
0003554507.tif 000005
【図５】
0003554507.tif 000006
【図６】
0003554507.tif 000007
【図７】
0003554507.tif 000008
【図８】
0003554507.tif 000009
【図９】
0003554507.tif 000010